(57)【要約】【課題】  部品点数の増加を招くことなく、フューエルリッドを充分な勢いをもって開動させることができるフューエルリッド装置を提供すること。【解決手段】  フューエルリッド１を開動させる矢印Ｂ１方向にプッシュロッド１２が変位するにしたがって、矢印Ｂ１方向に作用する第２スプリング１７の分力が大きくなるように、第２スプリング１７とプッシュロッド１２の接触面の角度が変化する。【選択図】  図５
2005289220.tif 000002
【特許請求の範囲】
【請求項１】
フューエルリッドの開動によって第１の方向に変位し、かつ前記フューエルリッドの閉動によって第２の方向に変位するプッシュロッドと、
前記プッシュロッドを前記第１の方向に付勢する第１付勢手段と、
スライドドアを半開位置に係止可能なストッパに連結されて、一方向に回動することにより前記ストッパを前記スライドドアの移動を係止可能な係止位置に移動させ、かつ他方向に回動することにより前記ストッパを前記スライドドアの移動を係止不可能な非係止位置に移動させるリンクと、
前記プッシュロッドに設けられ、該プッシュロッドが前記第１の方向に変位されるときに、前記リンクに当接して該リンクを前記一方向に回動させる当接部と、
前記リンクを前記他方向に付勢しかつ前記プッシュロッドを前記一方向に付勢するように、前記プッシュロッドと前記リンクとの間に備えられた第２付勢手段と、
を備え、
前記プッシュロッドと前記第２付勢手段との接触面は、前記プッシュロッドが前記第１の方向に変位するにしたがって、該第１の方向に作用する前記第２付勢手段の付勢力の分力を大きくするような角度に変化するように配置されている
ことを特徴とするフューエルリッド装置。
【請求項２】
前記プッシュロッドと前記第２付勢手段との接触面の少なくとも一方は、球面であることを特徴とする請求項１に記載のフューエルリッド装置。
【請求項３】
前記リンクは、ベース部材に回動自在に軸支され、かつ前記ベース部材の一側面側に位置する第１リンクと前記ベース部材の他側面側に位置する第２リンクとの一体結合によって構成され、
前記第１リンクは前記当接部と当接可能なアーム部を有し、
前記第２リンクは、前記ストッパに連結されるアーム部を有する
ことを特徴とする請求項１または２に記載のフューエルリッド装置。
【請求項４】
前記第１付勢手段と前記第２付勢手段は、前記ベース部材の一側面側と他側面側に分けて備えることを特徴とする請求項３に記載のフューエルリッド装置。
【発明の詳細な説明】
【技術分野】
【０００１】
本発明は、スライドドアを備えた車両用のフューエルリッド装置に関するものである。
【背景技術】
【０００２】
この種のフューエルリッド装置において、スライドドアのスライド範囲内にフューエルリッドが位置するものは、一般に、フューエルリッドの開閉に応じてスライドドアのストッパを作動させる構成となっている。そのストッパは、スライドドアを半開位置に係止可能な係止位置と、スライドドアを半開位置に係止不可能な非係止位置との間に選択的に移動する構成となっている。フューエルリッド装置は、フューエルリッドが開かれた給油中のときにストッパを係止位置に移動させて、スライドドアとフューエルリッドとの干渉を防止する。またフューエルリッド装置は、フューエルリッドが閉じられたときにストッパを非係止位置に移動させる。通常、このようなフューエルリッド装置は、フューエルリッドの開閉に応じて変位するプッシュロッドと、そのプッシュロッドに追従して回動するリンクと、そのリンクと車体に設けられたスライドドアのストッパとを連結するケーブルを備えた構成となっている。
【０００３】
このようなフューエルリッド装置においては、フューエルリッドが開かれて、スライドドアがストッパによって半開位置に係止された後、そのスライドドアが半開位置に係止されたまま、フューエルリッドが閉じられることがある。このような場合には、フューエルリッドが閉じられることによって、ストッパを非係止位置に移動させるための力がリンクに生じるものの、半開のままのスライドドアによって、ストッパの非係止位置への移動が阻止されてしまう。そのため、プッシュロッド、リンク、およびケーブルに無理な力が掛かって、それらの変形を招くおそれがある。
【０００４】
このような事態を回避するために、例えば、特許文献１に記載のフューエルリッド装置は、リンクを相対回転可能な第１リンクと第２リンクによって構成されている。第１リンクはプッシュロッドに連結されており、第１のスプリングの付勢力を受けて、プッシュロッドをフューエルリッドの開き方向に付勢する。第２リンクは、ケーブルを介してストッパに連結されている。さらに、それらの第１および第２リンクは、第２のスプリングを介して相対回転自在に連結されている。フューエルリッドが閉じられて、ストッパを非係止位置に移動させるための力が第１リンクに生じた場合において、半開のスライドドアによってストッパの非係止位置への移動が阻止（第２リンクの回動が阻止）されているときは、第１および第２リンクが相対回転して無理な力を逃がす。
【０００５】
【特許文献１】特開２００１−２４１２３９号公報
【発明の開示】
【発明が解決しようとする課題】
【０００６】
しかし、上記従来のフューエルリッド装置は、第１および第２リンクの相対回転によって無理な力を逃がすことはできるものの、リンクを相対回転可能な第１，第２のリンクの２枚構成とするために部品点数が増加してしまう。また第１のスプリングは、その弾性復元力によってプッシュロッドをフューエルリッドの開き方向に付勢するため、そのプッシュロッドがフューエルリッドの開き方向に変位するにつれて、弾性復元力が低下してプッシュロッドに対する付勢力が弱まる傾向となる。そのため、フューエルリッドを充分な勢いをもって回動させることができなくなるおそれがある。
【０００７】
本発明の目的は、部品点数の増加を招くことなく、フューエルリッドを充分な勢いをもって確実に回動させることができるフューエルリッド装置を提供することにある。
【課題を解決するための手段】
【０００８】
請求項１に記載の本発明のフューエルリッド装置は、フューエルリッドの開動によって第１の方向に変位し、かつ前記フューエルリッドの閉動によって第２の方向に変位するプッシュロッドと、前記プッシュロッドを前記第１の方向に付勢する第１付勢手段と、スライドドアを半開位置に係止可能なストッパに連結されて、一方向に回動することにより前記ストッパを前記スライドドアの移動を係止可能な係止位置に移動させ、かつ他方向に回動することにより前記ストッパを前記スライドドアの移動を係止不可能な非係止位置に移動させるリンクと、前記プッシュロッドに設けられ、該プッシュロッドが前記第１の方向に変位されるときに、前記リンクに当接して該リンクを前記一方向に回動させる当接部と、前記リンクを前記他方向に付勢しかつ前記プッシュロッドを前記一方向に付勢するように、前記プッシュロッドと前記リンクとの間に備えられた第２付勢手段と、を備え、前記プッシュロッドと前記第２付勢手段との接触面は、前記プッシュロッドが前記第１の方向に変位するにしたがって、該第１の方向に作用する前記第２付勢手段の付勢力の分力を大きくするような角度に変化するように配置されることを特徴とする。
【０００９】
請求項２に記載のフューエルリッド装置は、請求項１において、前記プッシュロッドと前記第２付勢手段との接触面の少なくとも一方は、球面であることを特徴とする。
【００１０】
請求項３に記載のフューエルリッド装置は、請求項１または２において、前記リンクは、ベース部材に回動自在に軸支され、かつ前記ベース部材の一側面側に位置する第１リンクと前記ベース部材の他側面側に位置する第２リンクとの一体結合によって構成され、前記第１リンクは前記当接部と当接可能なアーム部を有し、前記第２リンクは、前記ストッパに連結されるアーム部を有することを特徴とする。
【００１１】
請求項４に記載のフューエルリッド装置は、請求項３において、前記第１付勢手段と前記第２付勢手段は、前記ベース部材の一側面側と他側面側に分けて備えることを特徴とする。
【発明の効果】
【００１２】
本発明のフューエルリッド装置は、フューエルリッドを開動させる方向にプッシュロッドが変位するにしたがって、その変位方向に作用する第２付勢手段の付勢力の分力が大きくなるように、第２付勢手段とプッシュロッドとの接触面を変化させることにより、フューエルリッドを充分な勢いをもって確実に開動させることができる。また、相対回転可能な２つのリンクを備える必要がなく、その分、部品点数を削減することができる。
【００１３】
また、プッシュロッドと第２付勢手段との接触面の少なくとも一方を球面とすることにより、それらの接触面の角度をプッシュロッドの変位に応じてスムーズに変化させて、より確実にフューエルリッドを開動させることができる。
【００１４】
また、ベース部材の一側面側に位置する第１リンクと、ベース部材の他側面側に位置する第２リンクとを結合してリンクを構成することにより、ベース部材に対して、そのリンクを傾倒しないようにバランスよく保持して、それをスムーズに回動させることができる。
【００１５】
また、第１，第２付勢手段をベース部材の一側面側と他側面側に分けて備えることにより、それらの付勢力をバランスよくリンクに作用させて、よりスムーズにリンクを回動させることができ、しかも第１，第２付勢手段を効率よく配置して装置の小型化を図ることもできる。
【発明を実施するための最良の形態】
【００１６】
以下、本発明の実施形態を図面に基づいて説明する。本例のフューエルリッド装置は、車両の左側スライドドアの後方位置に備えられる。
【００１７】
図１は、本例のフューエルリッド装置１０の側面図、図２は図１のＩＩ矢視図、図３は図１のＩＩＩ矢視図である。図１において、Ｆは車両の前方側、Ｒは車両の後方側である。１１は、装置本体のベース部材としてのブラケットであり、車体の左側の定位置に取り付けられる。ブラケット１１には、プッシュロッド１２が図１中上下方向の軸線Ｏ１に沿って移動自在に取り付けられている。また、ブラケット１１には、ピン１３が軸線Ｏ２を中心として回動自在に取り付けられており、その一端にスイッチレバー（第１リンク）１４が固定され、その他端にストッパレバー１５（第２リンク）が固定されている。プッシュロッド１２とスイッチレバー１４は、ブラケット１１における図１中紙面の表面側（一側面側）に位置し、ストッパレバー１５は、ブラケット１１における図１中紙面の裏側（他側面側）に位置する。スイッチレバー１４とストッパレバー１５は、ピン１３と共に一体的に結合されて回転可能なリンクＬを構成する。
【００１８】
ブラケット１１の一側面側におけるピン１３の回りには、第１スプリング１６（第１付勢手段）としてのトーションスプリングが取り付けられ、また、ブラケット１１の他側面側におけるピン１３の回りには、第２スプリング１７（第２付勢手段）としてのトーションスプリングが取り付けられている。第１スプリング１６は、その一端１６Ａがプッシュロッド１２の上端部のスプリング係止孔１２Ａに係止され、その他端１６Ｂがブラケット１１のスプリング係止部１１Ａに係止されることによって、プッシュロッド１２を矢印Ｂ１方向（第１の方向）に付勢する。
【００１９】
第２スプリング１７の一端１７Ａは、プッシュロッド１２の上端部の内部に形成されたスプリング係止部１２Ｂに係止されている。そのスプリング係止部１２Ｂには、第２スプリング１７の一端１７Ａと接する接触面１２Ｂ−１（図５参照）が球面状に形成されている。また、第２スプリング１７の他端１７Ｂは、ストッパレバー１５のスプリング係止孔１５Ａに係止される。これによって第２スプリング１７は、プッシュロッド１２を矢印Ｂ１方向に付勢し、かつリンクＬを矢印Ｃ２方向（他方向）に付勢する。この第２スプリング１７の付勢力により、スイッチレバー１４の一端（アーム部）１４Ａは、プッシュロッド１２の当接部１２Ｃの下面に押し付けられる。
【００２０】
プッシュロッド１２の下端は、軸線Ｏを中心として矢印Ａ１，Ａ２方向に開閉されるフューエルリッド１と対向する。プッシュロッド１２は、第１および第２スプリング１６，１７の付勢力によって矢印Ｂ１方向（第１の方向）に付勢されており、図示しないフューエルリッド１のロック装置が解除されたときに、フューエルリッド１が矢印Ａ１方向に開動される。また、プッシュロッド１２は、フューエルリッド１が矢印Ａ２方向に閉動されることにより、第１スプリング１６に抗して矢印Ｂ２方向（第２の方向）に変位される。ストッパレバー１５の他端（アーム部）１５Ｂは、ケーブル（連結部材）２を介してストッパ３に連結される。
【００２１】
ストッパ３は、スライドドア４のガイドレールなどに備えられており、リンクＬが矢印Ｃ１方向（一方向）に回動したときに、図１中の実線のように矢印Ｄ１方向に回動されて、スライドドア４を半開位置に係止可能なスライドドア４の移動軌跡上の位置（係止位置）に移動する。一方、リンクＬが矢印Ｃ２方向（他方向）に回動したときは、ストッパ３が図１中の２点鎖線のように矢印Ｄ２方向に回動されて、スライドドア４の移動規制上から退避する位置（非係止位置）に移動する。スイッチレバー１４は、矢印Ｃ１方向に回動したときに、フューエルリッド１の開成を検出するための不図示の検出スイッチをＯＮとする。
【００２２】
次に、図４に基づき動作について説明する。
【００２３】
フューエルリッド１が閉じられるときは、図４（ｂ）のように、プッシュロッド１２が第１スプリング１６に抗して矢印Ｂ２方向に変位する。リンクＬは、第２スプリング１７の付勢力によって、スイッチレバー１４の一端１４Ａがプッシュロッド１２の当接部１２Ｃの下面に押し付けられたまま、その当接部１２Ｃの上方への移動に追従するように矢印Ｃ２方向に回動する。その結果、ストッパ３が図１中の２点鎖線のように非係止位置に移動し、スライドドア４の移動は規制されない。
【００２４】
フューエルリッド１が開かれるときは、図４（ａ）のように、プッシュロッド１２が第１スプリング１６の付勢力によって矢印Ｂ１方向に移動する。そのプッシュロッド１２の当接部１２Ｃによってスイッチレバー１４の一端１４Ａが下方に押され、リンクＬが矢印Ｃ１方向に回動する。これにより、ストッパ３は図１中の実線のように係止位置に移動し、スライドドア４を半開位置に係止可能となる。このとき、スイッチレバー１５は、不図示の検出スイッチをＯＮとする。第２スプリング１７は、スイッチレバー１４の一端１４Ａをプッシュロッド１２の当接部１２Ｃの下面に押し付けた状態に維持する。
【００２５】
図４（ｃ）は、フューエルリッド１が開かれて、スライドドア４がストッパ３によって半開位置に係止された後、そのスライドドア４が半開位置に係止されたまま、フューエルリッド１が強制的に閉じられたときの動作の説明図である。このときは、フューエルリッド１が閉じられることにより、図４（ｂ）の場合と同様に、プッシュロッド１２が第１スプリング１６に抗して矢印Ｂ２方向に移動する。しかし、スライドドア４によってストッパ３の矢印Ｄ２方向（図１参照）の回動およびリンクＬの矢印Ｃ２方向の回動が阻止されているため、リンクＬはプッシュロッド１２の移動に追従できない。そのため、第２スプリング１７の付勢力に抗して、プッシュロッド１２の当接部１２Ｃとスイッチレバー１４の一端１４Ａとが離間する。つまり、第２スプリング１７の付勢力に抗してプッシュロッド１２が矢印Ｂ２方向に移動する。これにより、フューエルリッド１の強制的な閉動が許容される。
【００２６】
その後、スライドドア４が移動されて、ストッパ３によるスライドドア４の半開位置の係止が解除されたときは、リンクＬの矢印Ｃ２方向の回動が可能となる。これによりリンクＬは、第２スプリング１７の付勢力によって矢印Ｃ２方向に回動され、スイッチレバー１４の一端１４Ａがプッシュロッド１２の当接部１２Ｃの下面に当接される。その結果、図４（ｂ）と同様の状態となる。
【００２７】
このように、プッシュロッド１２の当接部１２Ｃは、リンクＬに対して矢印Ｃ１方向の回動は強制するものの、それとは逆の矢印Ｃ２方向の回動は強制しない。したがって、図４（ｃ）のようにフューエルリッド１を強制的に閉じたときに、プッシュロッド１２、リンクＬ、およびケーブル２などに無理な力が掛かることがない。
【００２８】
図６は、プッシュロッド１２の移動位置に対応するフューエルリッド１の開閉位置と、プッシュロッド１２を矢印Ｂ１方向に付勢する付勢力との関係の説明図である。
【００２９】
図４（ｂ）のように、フューエルリッド１が閉じられて、プッシュロッド１２が矢印Ｂ２方向の位置（以下、「閉位置」という）ＰＣに移動したときは、第１スプリング１６の変形量が最大となる。そしてフューエルリッド１が開かれて、プッシュロッド１２が矢印Ｂ１方向に移動するにつれて、第１スプリング１６の変形量は小さくなる。そして図４（ａ）のように、フューエルリッド１が開かれて、プッシュロッド１２が矢印Ｂ１方向の位置（以下、「開位置」という）ＰＯに移動したときは、第１スプリング１６の変形量が最小となる。この第１スプリング１６は、その弾性復元力によってプッシュロッド１２を矢印Ｂ１方向に付勢するため、その付勢力は図６中のＡのようにほぼ直線的に変化し、閉位置ＰＣにて最大となり、開位置ＰＯにて最小となる。
【００３０】
また、プッシュロッド１２が図４（ａ），（ｂ）のように開位置ＰＯと閉位置ＰＣとの間にて移動する際には、図５（ａ），（ｂ），（ｃ）のように、第２スプリング１７の一端１７Ａとプッシュロッド１２のスプリング係止部１２Ｂとの接触面の角度が変化する。すなわち、スプリング係止部１２Ｂの接触面１２Ｂ−１が球面状とされているため、図５（ｃ）のような閉位置ＰＣのときは、接触面に直角に作用する第２スプリング１７の力Ｆの向きは同図中の右下方となる。そして、図５（ｂ），（ａ）のようにプッシュロッド１２が矢印Ｂ１方向に移動するにつれて、力Ｆの向きが矢印Ｂ１方向に近づくように変化し、図５（ａ）のような開位置ＰＯのときは力Ｆの向きがほぼ矢印Ｂ１方向に沿う。
【００３１】
このような力Ｆは、矢印Ｂ１方向の分力Ｆａと、それに直角な分力Ｆｂとによって表すことができる。矢印Ｂ１方向の分力Ｆａは、プッシュロッド１２が図５（ｃ）の閉位置ＰＣから図５（ａ）の開位置ＰＯに移動するにつれて増大する。また、この力Ｆの反力により、前述したように、スイッチレバー１４の一端部１４Ａがプッシュロッド１２の当接部１２Ｃの下面に押し付けられる。しかし、このような力Ｆの反力の大部分がプッシュロッド１２の当接部１２Ｃの下面によって受けられたとしても、プッシュロッド１２が図５（ｃ）の閉位置ＰＣから図５（ａ）の開位置ＰＯに移動するにつれて、プッシュロッド１２を矢印Ｂ１方向に付勢する分力Ｆａは増大する傾向となる。その付勢力は、図６中の斜線部分のように変化し、開位置ＰＯにおいて最小となる第１スプリング１６の付勢力を補うことになる。
【００３２】
このように、開位置ＰＯにおける第１スプリング１６の付勢力を第２スプリング１６が補うことにより、フューエルリッド１の閉位置のロックが解除されたときに、それを充分な勢いをもって確実に開動させることができる。
【００３３】
また、ブラケット１１の一側面側に位置するスイッチレバー１４と、ブラケット１１の他側面側に位置するストッパレバー１５との一体的な結合によってリンクＬを構成するため、ブラケット１１に対して、そのリンクＬを傾倒しないようにバランスよく保持して、それをスムーズに回動させることができる。さらに、第１，第２スプリング１６，１７をブラケット１１の一側面側と他側面側に分けて備えることにより、それらの付勢力をバランスよくリンクＬに作用させて、よりスムーズにリンクＬを回動させることができ、さらに第１，第２スプリング１６，１７を効率よく配置して装置の小型化を図ることもできる。
【００３４】
（他の実施形態）
第１スプリング１６の一端１６Ａとプッシュロッド１２のスプリング係止部１２Ｂとの接触面の構成は、上述した構成のみに特定されず、要は、プッシュロッド１２が矢印Ｂ１方向に移動するにしたがって、その矢印Ｂ１方向に作用する第１スプリング１６の付勢力の分力を大きくするように、それらの接触面の角度が変化する構成であればよい。また第１スプリング１６は、必ずしもトーションスプリングである必要はない。
【図面の簡単な説明】
【００３５】
【図１】本発明に係るフューエルリッド装置の側面図である。
【図２】図１のＩＩ矢視図である。
【図３】図１のＩＩＩ矢視図である。
【図４】（ａ），（ｂ），（ｃ）は、図１のフューエルリッド装置の動作の説明図である。
【図５】（ａ），（ｂ），（ｃ）は、図１のフューエルリッド装置におけるプッシュロッドと第２スプリングとの位置関係の変化の説明図である。
【図６】図１のフューエルリッド装置におけるプッシュロッドの付勢力の変化の説明図である。
【符号の説明】
【００３６】
１    フューエルリッド
２    ケーブル（連結部材）
３    ストッパ
４    スライドドア
１０    フューエルリッド装置
１１    ブラケット（ベース部材）
１２    プッシュロッド
１２Ａ    スプリング係止部
１２Ｂ    スプリング係止部
１２Ｂ−１    接触面
１２Ｃ    当接部
１３    ピン
１４    スイッチレバー（第１リンク）
１５    ストッパレバー（第２リンク）
１６    第１スプリング（第１付勢手段）
１７    第２スプリング（第２付勢手段）
Ｌ    リンク
【図１】
2005289220.tif 000003
【図２】
2005289220.tif 000004
【図３】
2005289220.tif 000005
【図４】
2005289220.tif 000006
【図５】
2005289220.tif 000007
【図６】
2005289220.tif 000008